(57)【要約】【課題】風向情報を利用する際の利便性を向上できる時計を提供する。【解決手段】時計１は、方位情報を取得する方位取得部６０と、風向情報を取得する風情報取得部７３と、風向情報を方位情報により補正した補正風向情報を表示するように制御する表示制御部７２と、表示制御部７２により表示が制御される表示部９０と、を備える。表示制御部７２は、基準方位に対する方位情報と、基準方位に対する風向情報と、の差分に基づき、補正風向情報を表示するように制御する。【選択図】図１
2018124102.tif 000002
【特許請求の範囲】
【請求項１】
方位情報を取得する方位取得部と、
風向情報を取得する風情報取得部と、
前記風向情報を前記方位情報により補正した補正風向情報を表示するように制御する表示制御部と、
を備えることを特徴とする携帯機器。
【請求項２】
前記表示制御部は、基準方位に対する前記方位情報と、前記基準方位に対する前記風向情報と、の差分に基づき、前記補正風向情報を表示するように制御する、
ことを特徴とする請求項１に記載の携帯機器。
【請求項３】
前記表示制御部により表示が制御される表示部を備え、
前記表示部は、表示要素の表示状態が表示経過時間に応じて前記補正風向情報に基づく風向きに沿って変化するように、表示要素を表示する、
ことを特徴とする請求項１または２に記載の携帯機器。
【請求項４】
前記表示制御部により表示が制御される表示部を備え、
前記表示部は、複数の表示要素を表示し、表示要素の数が前記補正風向情報に基づく風向きに沿って表示経過時間に応じて増加および減少の少なくとも一方の状態となるように前記複数の表示要素を表示する、
ことを特徴とする請求項１から３のいずれか１項に記載の携帯機器。
【請求項５】
前記表示制御部により表示が制御される表示部を備え、
前記表示部は、時刻を指示する指針により前記補正風向情報を表示する、
ことを特徴とする請求項１から４のいずれか１項に記載の携帯機器。
【請求項６】
前記表示制御部により表示が制御される表示部を備え、
前記風情報取得部は、風速情報を取得し、
前記表示部は、
前記補正風向情報を表示する風向表示領域と、
前記風速情報を表示する風速表示領域と、
を備える、
ことを特徴とする請求項１から５のいずれか１項に記載の携帯機器。
【請求項７】
前記風情報取得部は、風速情報を取得し、
前記風速情報を、時刻を指示する指針、および前記表示制御部により表示が制御される表示部に設けられる小窓のうち少なくとも一方に表示させるように制御する風速表示制御部を備える、
ことを特徴とする請求項１から６のいずれか１項に記載の携帯機器。
【請求項８】
前記表示制御部により表示が制御される表示部を備え、
前記風情報取得部は、風速情報を取得し、
前記表示部は、前記風速情報に基づく風速の大きさに応じて、表示要素の表示状態の変化の挙動を変更する、
ことを特徴とする請求項１から７のいずれか１項に記載の携帯機器。
【請求項９】
通信部を備え、
前記方位取得部は、方位を検出し、
前記風情報取得部は、前記通信部により前記風向情報を取得する、
ことを特徴とする請求項１から８のいずれか１項に記載の携帯機器。
【請求項１０】
請求項１から９のいずれか１項に記載の携帯機器により構成された時計であって、
時刻を表示する時刻表示部を備えることを特徴とする時計。
【発明の詳細な説明】
【技術分野】
【０００１】
本発明は、携帯機器および時計に関するものである。
【背景技術】
【０００２】
従来、時計等の携帯機器において、時間情報以外の情報を表示させる技術がある。例えば、特許文献１には、気圧変動を指示するアナログ時計であり、時間情報を与える少なくとも２本の針と、針を駆動するウォッチムーブメントと、気圧変動を測定する圧力センサとを備え、これら針の一つは圧力変動の測定値を指示することができ、針の他の一つは同時に天気予報を変動の関数として指示することができる時計が記載されている。
【０００３】
また、特許文献２には、コンパス機能を有する時計において、時計に対して地磁界の方向を測定する磁気センサ組立体と、電気モータにより駆動される中央指針を有する表示手段とを有し、表示手段は、コンパス・モードの時に北の方向を表し、北の方向は、中央指針の内、対向して整合した位置に設定／維持される２本の指針の手段により示される時計が記載されている。
【先行技術文献】
【特許文献】
【０００４】
【特許文献１】特開平７−２６０９６０号公報
【特許文献２】特開２００６−２５０９３３号公報
【発明の概要】
【発明が解決しようとする課題】
【０００５】
ここで、従来の携帯機器を用いて風向情報を単に得ることで、その携帯機器の使用者が風向情報を知ろうとしても、その風向きの方向を使用者の実感として把握することが難しい場合があり得る。
【０００６】
そこで、本発明は、風向情報を利用する際の利便性を向上できる携帯機器および時計を提供するものである。
【課題を解決するための手段】
【０００７】
本発明の携帯機器は、方位情報を取得する方位取得部と、風向情報を取得する風情報取得部と、前記風向情報を前記方位情報により補正した補正風向情報を表示するように制御する表示制御部と、を備えることを特徴とする。
【０００８】
上記の携帯機器において、前記表示制御部は、基準方位に対する前記方位情報と、前記基準方位に対する前記風向情報と、の差分に基づき、前記補正風向情報を表示するように制御する、ことが望ましい。
【０００９】
上記の携帯機器において、前記表示制御部により表示が制御される表示部を備え、前記表示部は、表示要素の表示状態が表示経過時間に応じて前記補正風向情報に基づく風向きに沿って変化するように、表示要素を表示する、ことが望ましい。
【００１０】
上記の携帯機器において、  前記表示制御部により表示が制御される表示部を備え、前記表示部は、複数の表示要素を表示し、表示要素の数が前記補正風向情報に基づく風向きに沿って表示経過時間に応じて増加および減少の少なくとも一方の状態となるように前記複数の表示要素を表示する、ことが望ましい。
【００１１】
上記の携帯機器において、前記表示制御部により表示が制御される表示部を備え、前記表示部は、時刻を指示する指針により前記補正風向情報を表示する、ことが望ましい。
【００１２】
上記の携帯機器において、前記表示制御部により表示が制御される表示部を備え、前記風情報取得部は、風速情報を取得し、前記表示部は、前記補正風向情報を表示する風向表示領域と、前記風速情報を表示する風速表示領域と、を備える、ことが望ましい。
【００１３】
上記の携帯機器において、前記風情報取得部は、風速情報を取得し、前記風速情報を、時刻を指示する指針、および前記表示制御部により表示が制御される表示部に設けられる小窓のうち少なくとも一方に表示させるように制御する風速表示制御部を備える、ことが望ましい。
【００１４】
上記の携帯機器において、前記表示制御部により表示が制御される表示部を備え、前記風情報取得部は、風速情報を取得し、前記表示部は、前記風速情報に基づく風速の大きさに応じて、表示要素の表示状態の変化の挙動を変更する、ことが望ましい。
【００１５】
上記の携帯機器において、通信部を備え、前記方位取得部は、方位を検出し、前記風情報取得部は、前記通信部により前記風向情報を取得する、ことが望ましい。
【００１６】
本発明の時計は、上記の携帯機器により構成された時計であって、時刻を表示する時刻表示部を備えることを特徴とする。
【発明の効果】
【００１７】
本発明によれば、使用者が風向情報を利用する際の利便性が向上する。
【図面の簡単な説明】
【００１８】
【図１】第１実施形態に係る時計を含むシステムの構成例を示すブロック図である。
【図２】第１実施形態に係る時計の平面図である。
【図３】第１実施形態に係る情報処理部が行う処理を説明する図である。
【図４】第１実施形態に係る記憶部に記憶されている風情報の一例を示す図である。
【図５】第１実施形態に係る時計の制御方法を示すフローチャートである。
【図６】第１実施形態に係る時計における風情報表示モードの表示例を示す図である。
【図７】第２実施形態に係る時計を含むシステムの構成例を示すブロック図である。
【図８】第２実施形態に係る時計の平面図である。
【図９】第２実施形態に係る時計における風情報表示モードの表示例を示す図である。
【図１０】第２実施形態の第１変形例に係る時計における風情報表示モードの表示例を示す図である。
【図１１】第２実施形態の第２変形例に係る時計における風情報表示モードの表示例を示す図である。
【発明を実施するための形態】
【００１９】
以下、本発明の実施形態を図面に基づいて説明する。
［第１実施形態］
第１実施形態の携帯機器について説明する。第１実施形態では、携帯機器として、デジタル式の時計を例に挙げて説明する。
【００２０】
＜時計＞
図１は、第１実施形態に係る時計を含むシステムの構成例を示すブロック図である。
図１に示すように、時計１は、ケース１０と、電源部２０と、発振回路３０と、分周回路３１と、入力部４０と、通信部５０と、方位取得部６０と、主制御部７０と、記憶部８０と、表示部９０（時刻表示部）と、を備えている。時計１は、無線通信を介して外部端末２００と通信を行い、情報の送受信を行う。外部端末２００の構成については後述する。
【００２１】
＜ケース＞
図２は、第１実施形態に係る時計の平面図である。なお、図２は、後述する時計モードを実行している状態であって、８時２０分１５秒を表示している状態を示している。
図２に示すように、ケース１０は、胴１１と、裏蓋（不図示）と、ガラス１２と、を備えている。胴１１は、円筒状に形成されている。胴１１の一方の開口は、ガラス１２により閉塞されている。胴１１の他方の開口は、裏蓋により閉塞されている。胴１１の内側には、回路ブロック（不図示）が配置されている。なお、以下の説明では、ケース１０のガラス１２側を表側と称し、その反対側を裏側と称する。また、以下の説明では、胴１１の周方向（以下、単に周方向という）における位置は、デジタル式の時計１をアナログ式の時計に置き換えて表現する。つまり、例えば「１２時に対応する位置」は、アナログ式時計の時針が１２時を指示する際に向く位置である。
【００２２】
＜電源部＞
図１に示すように、電源部２０は、主制御部７０等に電力を供給する。電源部２０は、例えば一次電池を備えている。なお、電源部は、太陽電池と、太陽電池から供給された電気エネルギーを蓄える二次電池と、二次電池の充放電を制御する充放電制御回路と、を備えていてもよい。
【００２３】
＜発振回路＞
発振回路３０は、水晶振動子と組み合わせることで発振器を実現する回路である。発振回路３０は、生成した所定の周波数の信号を分周回路３１に出力する。
【００２４】
＜分周回路＞
分周回路３１は、発振回路３０が出力した所定の周波数の信号を分周し、分周した信号を主制御部７０に出力する。
【００２５】
＜入力部＞
図２に示すように、入力部４０は、複数（本実施形態では４個）のボタン４１〜４４を備えている。各ボタン４１〜４４は、ケース１０の胴１１の側面に配置されている。各ボタン４１〜４４は、第１ボタン４１と、第２ボタン４２と、第３ボタン４３と、第４ボタン４４と、である。第１ボタン４１は、胴１１の１時から２時に対応する位置に設けられている。第２ボタン４２は、胴１１の４時から５時に対応する位置に設けられている。第３ボタン４３は、胴１１の７時から８時に対応する位置に設けられている。第４ボタン４４は、胴１１の１０時から１１時に対応する位置に設けられている。入力部４０は、ボタン４１〜４４が使用者により操作（例えば押圧操作）された場合に、この操作に応じた操作信号を主制御部７０に出力する。
【００２６】
＜通信部＞
通信部５０は、例えばＷｉ−Ｆｉ（Ｗｉｒｅｌｅｓｓ  Ｆｉｄｅｌｉｔｙ）規格や、Ｂｌｕｅｔｏｏｔｈ（登録商標）  ＬＥ（Ｌｏｗ  Ｅｎｅｒｇｙ）規格の通信方式を用いて、外部端末２００との間で、後述する天候情報を含む各種情報の送受信を行う。通信部５０は、外部端末２００から受信した情報を主制御部７０に出力する。また、通信部５０は、主制御部７０が出力した情報を、外部端末２００へ送信する。
【００２７】
＜方位取得部＞
方位取得部６０は、方位情報を取得する。方位情報は、時計１が向く方位である。本実施形態では、方位情報は、時計１における周方向の１２時に対応する位置に一致する方位である。つまり、例えば時計１のうち周方向の１２時に対応する位置にある箇所が、時計１の中心に対して北側に位置する場合、方位情報は北となる。方位取得部６０は、方位を検出する地磁気センサを含んでいる。地磁気センサは、例えばホール素子や磁気抵抗効果素子等である。方位取得部６０は、地磁気センサにより検出した方位を方位情報として主制御部７０に出力する。
【００２８】
＜主制御部＞
主制御部７０は、入力部４０から出力された操作信号に基づいて、時計１が備える各構成要素の制御を行う。主制御部７０は、電源制御部７１と、表示制御部７２（風速表示制御部）と、風情報取得部７３と、情報処理部７４と、を備えている。
【００２９】
電源制御部７１は、電源部２０から供給される電力を、所望の電圧値に降圧して、各回路に供給する。
表示制御部７２は、例えばＣＰＵ（Ｃｅｎｔｒａｌ  Ｐｒｏｃｅｓｓｉｎｇ  Ｕｎｉｔ）である。表示制御部７２は、表示部９０を制御して、表示部９０に各種情報を表示させる。
【００３０】
風情報取得部７３は、風情報を取得する。風情報取得部７３が取得する風情報は、風向情報と風速情報とを含んでいる。風情報取得部７３は、通信部５０を介して外部端末２００と通信し、外部端末２００が例えば天候情報を発信する情報提供者等から取得した風情報を取得する。風情報取得部７３は、例えば時計１の後述する動作モードが時計モードから風情報表示モードに切り替わる際に、風情報を取得する。風情報取得部７３は、取得した風情報を記憶部８０に記憶させる。なお、風向情報は、例えば１６方位の風向であってもよいし、８方位の風向であってもよい。
【００３１】
図３は、第１実施形態に係る情報処理部が行う処理を説明する図である。
図３に示すように、情報処理部７４は、方位取得部６０から出力された方位情報と、記憶部８０に記憶された風向情報と、に基づき、補正風向情報を算出し、表示制御部７２に出力する。具体的に、補正風向情報は、基準方位（本実施形態では北）に対する方位情報と、基準方位に対する風向情報と、の差分に基づいて算出される。基準方位に対する方位情報の時計回り方向の角度をＡとし、基準方位に対する風向情報の時計回り方向の角度をＢとしたとき、基準方位に対する補正風向情報の時計回り方向の角度θは、θ＝Ｂ−Ａにより算出される。なお、以下では、基準方位に対する補正風向情報の時計回り方向の角度を、単に補正風向情報の角度という。
【００３２】
＜記憶部＞
図１に示すように、記憶部８０は、例えば、ＲＡＭ（Ｒａｎｄｏｍ  Ａｃｃｅｓｓ  Ｍｅｍｏｒｙ、ランダムアクセスメモリ）やＲＯＭ（Ｒｅａｄ  Ｏｎｌｙ  Ｍｅｍｏｒｙ、読み出し専用メモリ）等の不揮発性の記憶媒体である。記憶部８０は、風情報取得部７３が取得した風情報を含む各種情報を記憶する。
【００３３】
図４は、第１実施形態に係る記憶部に記憶されている風情報の一例を示す図である。
図４に示すように、記憶部８０には、風情報取得部７３が取得した風情報が記憶される。具体的には、記憶部８０には、複数の時点の風情報と各風情報に対応する時点とが対応付けられて記憶されている。本実施形態では、記憶部８０には、現在の風向情報および風速情報と、将来の複数の時点の風向情報および風速情報と、がそれぞれ対応する時点に対応付けられて記憶されている。風向情報は、例えば上述した基準方位に対する時計回り方向の角度として記憶されている。
【００３４】
＜表示部＞
図１に示すように、表示部９０は、表示制御部７２より制御され、時刻や風情報等を表示する。表示部９０は、例えば液晶ディスプレイである。図２に示すように、表示部９０は、平面視略円形状に形成され、ケース１０内における回路ブロック（不図示）とガラス１２との間に配置されている。表示部９０は、ガラス１２を通じて視認可能に設けられている。表示部９０は、表示部９０の中央に設けられた主表示部９１（風速表示領域）と、主表示部９１を囲うように円環状に配置された副表示部９２（風向表示領域）と、を備えている。
【００３５】
主表示部９１は、数字や文字、記号等を表示可能に形成されている。主表示部９１は、例えば時刻（時分）や日付、電池残量、風速情報等を表示する。副表示部９２は、表示部９０の外周に沿って並ぶ複数（本実施形態では６０個）のドット９３（表示要素）を表示可能に形成されている。各ドット９３は、平面視でケース１０の胴１１の表側の開口縁に隣接している。副表示部９２は、例えば時刻（秒）や補正風向情報等を表示する。なお、ドット９３は、点灯状態の場合、消灯状態の場合、いずれの場合も表示要素と称する。
【００３６】
＜外部端末＞
図１に示すように、外部端末２００は、通信機能を有する機器である。外部端末２００は、例えばスマートフォンやタブレット端末、携帯ゲーム機器、コンピュータ等である。外部端末２００は、制御部２０１と、入力部２０２と、表示部２０３と、記憶部２０４と、無線通信部２０５と、を備えている。外部端末２００は、例えばＧＰＳ（Ｇｌｏｂａｌ  Ｐｏｓｉｔｉｏｎｉｎｇ  Ｓｙｓｔｅｍ；グローバル・ポジショニング・システム）を備えていてもよい。
【００３７】
制御部２０１は、ネットワークを介して、天候情報を発信する情報提供者等から風情報を取得し、記憶部２０４に記憶させる。
入力部２０２は、使用者からの操作入力を検出し、検出した操作結果を制御部２０１に出力する。入力部２０２は、例えば表示部２０３上に設けられているタッチパネルセンサーである。
【００３８】
表示部２０３は、例えば液晶ディスプレイである。表示部２０３には、制御部２０１の制御に応じて情報を表示する。
記憶部２０４は、外部端末２００の制御に必要な情報や、プログラム、風情報等を記憶する。
【００３９】
無線通信部２０５は、アンテナを介して少なくとも時計１へ情報の送信を行う。無線通信部２０５は、制御部２０１が出力した送信情報に基づいて送信信号を生成し、生成した送信信号を、アンテナを介して時計１へ送信する。また、無線通信部２０５は、時計１が送信した送信信号を、アンテナを介して受信し、受信した信号から情報を抽出し、抽出した情報を受信情報として制御部２０１へ出力する。
【００４０】
＜時計の動作＞
次に、第１実施形態に係る時計１の動作について説明する。
主制御部７０は、入力部４０（ボタン４１〜４４）が操作された場合等に、時計１の動作モードを切り替える。ここで、動作モードは、表示部９０が主に現在時刻や曜日、日付等を表示する時計モードと、表示部９０が風情報を表示する風情報表示モードと、を含んでいる。主制御部７０は、例えば第３ボタン４３が操作された場合に、時計１の動作モードを時計モードから風情報表示モードに切り替える。また、主制御部７０は、例えば第４ボタン４４が操作された場合、または入力部４０が所定時間操作されなかった場合に、時計１の動作モードを風情報表示モードから時計モードに切り替える。また、表示制御部７２は、風情報表示モードにおいて、例えば第１ボタン４１が操作されることにより、記憶部８０に記憶された風情報の表示を時点毎に順に切り替える。
【００４１】
図５は、第１実施形態に係る時計の制御方法を示すフローチャートである。
図５に示すように、主制御部７０は、時計１の動作モードが時計モードから風情報表示モードに切り替わると、記憶部８０に風向情報および風速情報が記憶されているか否かを判定する（ステップＳ１０）。記憶部８０に風向情報および風速情報が記憶されている場合（Ｓ１０：Ｙｅｓ）、ステップＳ２０に移行する。記憶部８０に風向情報および風速情報が記憶されていない場合（Ｓ１０：Ｎｏ）、表示制御部７２は、表示部９０にエラー表示を表示させるように制御した後（ステップＳ３０）、処理を終了して、時計１の動作モードを時計モードに切り替える。
【００４２】
ステップＳ２０では、表示制御部７２は、表示部９０が風速情報を表示するように、表示部９０を制御する。風速情報の表示例については後述する。続いて、ステップＳ４０に移行する。
【００４３】
ステップＳ４０では、方位取得部６０は、方位情報を取得して、情報処理部７４に出力する。続いて、ステップＳ５０に移行する。
【００４４】
ステップＳ５０では、情報処理部７４は、方位取得部６０から出力された方位情報と、記憶部８０に記憶された風向情報と、に基づいて、上述した補正風向情報の角度を算出する。次いで、情報処理部７４は、補正風向情報の角度の情報を表示制御部７２に出力する。続いて、ステップＳ６０に移行する。
【００４５】
ステップＳ６０では、表示制御部７２は、情報処理部７４から出力された補正風向情報の角度の情報に基づいて表示部９０が補正風向情報を表示するように、表示部９０を制御する。補正風向情報の表示例については後述する。続いて、ステップＳ７０に移行する。
【００４６】
ステップＳ７０では、主制御部７０は、風情報表示モードを継続するか否かを判定する。具体的に、主制御部７０は、上述したように、使用者が第４ボタン４４を操作した場合、または入力部４０が所定時間操作されなかった場合に、風情報表示モードを継続しないと判定する。風情報表示モードを継続する場合（Ｓ７０：Ｙｅｓ）、再度ステップＳ４０に移行する。風情報表示モードを継続しない場合（Ｓ７０：Ｎｏ）、処理を終了して、時計１の動作モードを時計モードに切り替える。
【００４７】
続いて、時計１の表示例について説明する。
図２に示すように、時計モードでは、表示制御部７２は、主表示部９１の中央部に現在時刻の時分を表示させる。また、表示制御部７２は、主表示部９１の中央部よりも１２時側に対応する領域（以下、上部領域という。）に曜日を表示させる。また、表示制御部７２は、主表示部９１の中央部よりも６時側に対応する領域（以下、下部領域という。）に日付を表示させる。また、表示制御部７２は、副表示部９２に現在時刻の秒を表示させる。表示制御部７２は、例えば現在時刻の秒が１秒のときに複数のドット９３のうち１秒に対応する位置の１ドット目を表示させ、現在時刻の秒が１５秒の時に複数のドット９３のうち１秒に対応する位置の１ドット目から１５秒に対応する位置の１５ドット目までを表示させる。このように、表示制御部７２は、現在時刻の秒が進むに従い副表示部９２に表示されるドット９３の表示面積が広くなるように表示部９０を制御する。
【００４８】
図６は、第１実施形態に係る時計における風情報表示モードの表示例を示す図である。なお、図６では、時計１が北東を向いている状態で、図４に示す９時の時点の風情報を表示する場合を示している。すなわち、補正風向情報の角度は、４５°である。
【００４９】
図６に示すように、風情報表示モードでは、表示制御部７２は、主表示部９１の中央部に風速情報の数字を表示させる。また、表示制御部７２は、主表示部９１の上部領域に風速情報の単位を表示させる。また、表示制御部７２は、主表示部９１の下部領域に風情報に対応する時点を表示させる。また、表示制御部７２は、副表示部９２のドット９３をアニメーション表示させることで補正風向情報を表示させる。
【００５０】
ここで、副表示部９２における補正風向情報の表示について詳述する。
副表示部９２は、ドット９３の表示状態が、表示経過時間に応じて補正風向情報に基づく風向に沿って変化するように、ドット９３を表示する。つまり、表示制御部７２は、周方向における１２時に対応する位置から時計回り方向に補正風向情報の角度ずれた位置を風上とし、さらに１８０°ずれた位置を風下とし、風上と風下とを結ぶ仮想直線Ｌに沿ってドット９３の表示状態が変化するように副表示部９２を制御する。なお、以下では、上述した風上を補正風向情報の風上といい、上述した風下を補正風向情報の風下という。補正風向情報の角度は、方位情報（時計１が向く方位）に応じて算出される。補正風向情報の風上は、時計１が向く方位に依らず常に風向情報と一致する。例えば、時計１における周方向の１２時に対応する位置が北東に一致し、風向情報が東である場合は、補正風向情報の角度は４５°になる。そして、補正風向情報の風上は、周方向における１２時に対応する位置から時計回り方向に４５°ずれた位置であって、東になる。これにより、補正風向情報の風上は、風向情報と一致する。
【００５１】
表示制御部７２は、補正風向情報の風上を中心とする周方向の所定範囲内にある複数（本実施形態では５個）のドット９３（以下、風上ドット群という。）と、補正風向情報の風下にある１個のドット９３（以下、風下ドットという。）と、を常時表示させつつ、他のドット９３の表示状態を変化させる。最初に、表示制御部７２は、全てのドット９３を表示させる。続いて、表示制御部７２は、風上ドット群を表示させたまま、風上ドット群に近いドット９３から順に非表示とし、風上ドット群および風下ドットのみを表示させる状態とする。これにより、ドット９３の表示状態は、表示経過時間に応じて補正風向情報に基づく風向に沿って変化する。なお、ドット９３は、時計１の平面視で、補正風向情報の風上と風下とを結ぶ仮想直線Ｌ（風向きに沿った方向）を挟んで線対称となるように表示されることが望ましい。このように、表示制御部７２は、複数のドット９３（表示要素）の数が、補正風向情報に基づく風向きに沿って、経過時間とともに増加する状態、および経過時間とともに減少する状態、の少なくとも一方の状態となるよう表示状態を変化させる。
【００５２】
副表示部９２は、風速情報に基づく風速の大きさに応じて、ドット９３の表示状態の変化の挙動を変更する。表示制御部７２は、風速情報に基づく風速の大きさが大きくなるに従いドット９３の表示状態の変化が早くなるように、副表示部９２を制御する。
【００５３】
このように、本実施形態の時計１は、方位情報を取得する方位取得部６０と、風向情報を取得する風情報取得部７３と、風向情報を方位情報により補正した補正風向情報を表示するように制御する表示制御部７２と、を備える。この構成によれば、補正風向情報は、方位取得部６０により取得された方位情報により補正されるので、時計１上で風向きを指示する際に、表示制御部７２により補正風向情報を表示することで、時計１の向きに依らず、常に風向情報に一致する方位を風向きとして指示することができる。これにより、使用者に対して風向きを直観的に識別させることができる。しかも、風情報取得部７３に将来の風向情報（すなわち風向予報）を取得させることで、使用者に対して将来の風向きを現在の時計１の向きに対応させて直観的に識別させることができる。したがって、使用者が風向情報を利用する際の利便性が向上する。
【００５４】
また、表示部９０のうち副表示部９２のみにより使用者に対して風向きを直観的に識別させることができるので、表示部の全面を用いて補正風向情報を表示する構成と比較して、補正風向情報を表示させるのに必要な消費電力を小さくすることができる。
【００５５】
また、表示制御部７２は、基準方位に対する方位情報と、基準方位に対する風向情報と、の差分に基づき、補正風向情報を表示するように制御する。これにより、方位情報と風向情報とがなす角度に基づく補正風向情報が表示されるので、時計１の向きに依らず、常に風向情報に一致する方位を風向きとして指示することができる。
【００５６】
また、表示部９０は、ドット９３の表示状態が表示経過時間に応じて補正風向情報に基づく風向きに沿って変化するように、ドット９３を表示するので、ドット９３の表示状態が変化しない構成と比較して、使用者に対して風向きをより直観的に識別させることができる。
【００５７】
また、表示部９０は、表示されるドット９３の数が補正風向情報に基づく風向きに沿って表示経過時間に応じて増加および減少の少なくとも一方の状態となるようにドット９３を表示するので、表示されるドット９３の数が表示経過時間に応じて変化しない構成と比較して、使用者に対して風向きをより直観的に識別させることができる。
【００５８】
また、表示部９０は、補正風向情報を表示する副表示部９２と、風速情報を表示する主表示部９１と、を備えるので、使用者に対して風向きに加えて風速情報も知らせることができる。したがって、使用者が風向情報を利用する際の利便性がさらに向上する。
【００５９】
また、方位取得部６０は、方位を検出するので、時計１が向く方位を方位情報として容易に取得できる。また、風情報取得部７３は、通信部５０により風向情報を取得するので、天候情報を発信する情報提供者等が発信する風向情報を利用することができる。これにより、予報も含む正確な風向情報を取得することができる。よって、風向きとして補正風向情報をより正確に表示することができる。したがって、使用者が風向情報を利用する際の利便性がさらに向上する。
【００６０】
なお、上述した実施形態では、副表示部９２において補正風向情報を表示する際に、風上ドット群に近いドット９３から順に非表示とされるが、これ限定されず、風下ドットに近いドット９３から順に非表示とされてもよい。
【００６１】
また、風上ドット群は複数のドット９３により構成され、風下ドットは１個のドットにより構成されているが、風上ドット群および風下ドットを構成するドット９３の個数については、これに限定されない。すなわち、ドット９３の表示状態の変化との組み合わせで、補正風向情報の風上と風下とを識別できれば良い。
【００６２】
［第２実施形態］
第２実施形態の携帯機器について説明する。第２実施形態では、携帯機器として、アナログ式の時計を例に挙げて説明する。なお、第１実施形態と同様の構成については、同一符号を付して詳細な説明を省略する（以下の変形例についても同様）。
【００６３】
図７は、第２実施形態に係る時計を含むシステムの構成例を示すブロック図である。
図７に示すように、時計１０１は、ケース１０と、電源部２０と、発振回路３０と、分周回路３１と、入力部４０と、通信部５０と、方位取得部６０と、主制御部１７０と、記憶部８０と、駆動部１０９と、表示部１９０（時刻表示部）と、を備えている。時計１０１は、無線通信を介して外部端末２００と通信を行い、情報の送受信を行う。
【００６４】
＜表示部＞
図８は、第２実施形態に係る時計の平面図である。なお、図８は、上述した時計モードを実行している状態であって、８時１９分５５秒を表示している状態を示している。
図８に示すように、表示部１９０は、文字板１０２と、複数の指針１０４〜１０６と、日車１０７と、を備えている。文字板１０２は、ケース１０の胴１１の内側に配置されている。文字板１０２は、日車１０７の日文字１０７ａを表示する小窓１０２ａを備えている。複数の指針１０４〜１０６は、時刻を指示する時針１０４、分針１０５および秒針１０６である。複数の指針１０４〜１０６は、それぞれ文字板１０２の表側に配置されている。
【００６５】
日車１０７は、文字板１０２の裏側に配置されている。日車１０７の表側を向く面には、日文字１０７ａが明示されている。日車１０７は、文字板１０２の小窓１０２ａを通じて日文字１０７ａを表側に露出させることで日付を表示する。
【００６６】
＜駆動部＞
図７に示すように、駆動部１０９は、複数のステッピングモータ、および複数の輪列（いずれも不図示）を備えている。駆動部１０９は、時針１０４、分針１０５、秒針１０６および日車１０７を駆動する（図８参照）。
【００６７】
＜主制御部＞
主制御部１７０は、入力部４０から出力された操作信号に基づいて、時計１０１が備える各構成要素の制御を行う。主制御部１７０は、電源制御部７１と、表示制御部１７２と、風情報取得部７３と、情報処理部７４と、を備えている。
【００６８】
表示制御部１７２は、例えばＣＰＵである。表示制御部１７２は、駆動部１０９を駆動する駆動信号を生成し、生成した駆動信号を駆動部１０９に出力する。これにより、表示制御部１７２は、表示部１９０を制御して、表示部１９０に各種情報を表示させる。
【００６９】
＜時計の動作＞
次に、第２実施形態に係る時計１０１の表示例について説明する。
図９は、第２実施形態に係る時計における風情報表示モードの表示例を示す図である。なお、図９では、時計１０１が北東を向いている状態で、図４に示す９時の時点の風情報を表示する場合を示している。すなわち、補正風向情報の角度は４５°である。
【００７０】
図９に示すように、風情報表示モードでは、表示制御部１７２は、表示部１９０の小窓１０２ａに風速情報を表示させる。表示制御部１７２は、駆動部１０９に駆動信号を出力して日車１０７を制御し、小窓１０２ａを通じて風速情報の数字に対応する日文字１０７ａを表示させる。また、表示制御部１７２は、時針１０４および分針１０５により補正風向情報を表示させる。表示制御部１７２は、分針１０５が補正風向情報の風下を指示し、分針１０５よりも短い時針１０４が補正風向情報の風上を指示するように、表示部１９０を制御する。
【００７１】
このように、本実施形態の時計１０１は、方位情報を取得する方位取得部６０と、風向情報を取得する風情報取得部７３と、風向情報を方位情報により補正した補正風向情報を表示するように制御する表示制御部１７２と、を備えるので、第１実施形態と同様に、使用者が風向情報を利用する際の利便性が向上する。
【００７２】
また、表示部１９０は、時針１０４および分針１０５により補正風向情報を表示するので、アナログ式の時計において補正風向情報を表示するための新たな部品を用いることなく、風向きを指示することができる。
【００７３】
また、表示制御部１７２は、風速情報を小窓１０２ａに表示させるように制御するので、使用者に対して風向きに加えて風速情報も知らせることができる。したがって、使用者が風向情報を利用する際の利便性がさらに向上する。しかも、日付を表示可能なアナログ式の時計において風速情報を表示するための新たな部品を用いることなく、風速情報を表示させることができる。
【００７４】
なお、本実施形態では、表示部１９０は、小窓１０２ａを通じて日車１０７の日文字１０７ａを表示しているが、数字を表示可能な液晶ディスプレイ等の表示装置が小窓１０２ａ内に設けられた構成であってもよい。
【００７５】
また、本実施形態では、時針１０４および分針１０５により補正風向情報を表示しているが、これに限定されず、例えば指針１０４〜１０６のうちいずれか１つの指針により補正風向情報を表示してもよい。
【００７６】
［第２実施形態の第１変形例］
図１０は、第２実施形態の第１変形例に係る時計における風情報表示モードの表示例を示す図である。なお、図１０では、時計１０１が北東を向いている状態で、図４に示す９時の時点の風情報を表示する場合を示している。すなわち、補正風向情報の角度は４５°である。
第２実施形態では、小窓１０２ａに風速情報が表示されている。これに対して図１０に示す第２実施形態の第１変形例では、秒針１０６により風速情報が表示されている点で、第２実施形態と異なっている。
【００７７】
図１０に示すように、風情報表示モードでは、表示制御部１７２は、表示部１９０の秒針１０６に風速情報を表示させるように、表示部１９０を制御する。表示制御部１７２は、駆動部１０９に駆動信号を出力して、秒針１０６が補正風向情報の風下を中心に所定の角度範囲内で往復するように、秒針１０６を制御する。表示制御部１７２は、風速情報に基づく風速の大きさに応じて、秒針１０６の往復運動の角度範囲、および往復運動の移動速度のうち少なくともいずれか一方を変更するように、秒針１０６を制御する。例えば、表示制御部１７２は、風速情報に基づく風速の大きさが大きくなるに従い、秒針１０６の往復運動の角度範囲が大きくなるように、表示部１９０を制御する。また、表示制御部１７２は、風速情報に基づく風速の大きさが大きくなるに従い、秒針１０６の往復運動の移動速度が速くなるように、表示部１９０を制御する。
【００７８】
このように、本変形例では、表示制御部１７２は、風速情報を秒針１０６に表示させるように制御するので、使用者に対して風向きに加えて風速情報も知らせることができる。したがって、使用者が風向情報を利用する際の利便性がさらに向上する。しかも、秒針を有するアナログ式の時計において風速情報を表示するための新たな部品を用いることなく、風速情報を表示させることができる。
【００７９】
なお、本変形例では、表示制御部１７２は、秒針１０６の挙動を制御することにより風速情報を表示部１９０に表示させているが、これに限定されない。表示制御部は、例えば、文字板１０２上に明示された目盛を秒針１０６に指示させることにより風速情報を表示させてもよい。
【００８０】
［第２実施形態の第２変形例］
図１１は、第２実施形態の第２変形例に係る時計における風情報表示モードの表示例を示す図である。なお、図１１では、時計１０１が北東を向いている状態で、図４に示す９時の時点の風情報を表示する場合を示している。すなわち、補正風向情報の角度は４５°である。
第２実施形態では、小窓１０２ａに風速情報が表示されている。これに対して図１１に示す第２実施形態の第２変形例では、表示部１９０が文字板１０２に形成された目盛１９１、および目盛１９１を指示するインジケータ針１９２を備え、目盛１９１およびインジケータ針１９２により風速情報が表示されている点で、第２実施形態と異なっている。
【００８１】
インジケータ針１９２は、表示制御部１７２により制御される。インジケータ針１９２は、駆動部１０９により駆動される。目盛１９１およびインジケータ針１９２は、時計モードにおいて、例えば電池残量等、風速情報とは異なる情報を指示する。
【００８２】
このように、本変形例では、表示制御部１７２は、目盛１９１およびインジケータ針１９２に、風速情報を表示させるように制御するので、使用者に対して風向きに加えて風速情報も知らせることができる。したがって、使用者が風向情報を利用する際の利便性がさらに向上する。
【００８３】
なお、本発明は、図面を参照して説明した上述の実施形態に限定されるものではなく、その技術的範囲において様々な変形例が考えられる。
例えば、上記実施形態においては、携帯機器として時計を例に挙げて説明しているが、天候情報を取得して天候予報を表示できる機器であれば時計に限定されない。したがって、例えばスマートフォンやタブレット端末、携帯ゲーム機器等であってもよい。
【００８４】
また、上記各実施形態では、補正風向情報を算出する際に基準方位を北としているが、基準方位はいずれの方位であってもよい。
また、上記各実施形態では、時計１，１０１（携帯機器）が表示部９０，１９０を備えているが、表示部が携帯機器とは別体で設けられていてもよい。
【００８５】
その他、本発明の趣旨を逸脱しない範囲で、上記した実施の形態における構成要素を周知の構成要素に置き換えることは適宜可能である。
【符号の説明】
【００８６】
１，１０１…時計（携帯機器）  ５０…通信部  ６０…方位取得部  ７２，１７２…表示制御部（風速表示制御部）  ７３…風情報取得部  ９０，１９０…表示部（時刻表示部）  ９１…主表示部（風速表示領域）  ９２…副表示部（風向表示領域）  ９３…ドット（表示要素）  １０２ａ…小窓  １０４…時針（指針）  １０５…分針（指針）  １０６…秒針（指針）
【図１】
2018124102.tif 000003
【図２】
2018124102.tif 000004
【図３】
2018124102.tif 000005
【図４】
2018124102.tif 000006
【図５】
2018124102.tif 000007
【図６】
2018124102.tif 000008
【図７】
2018124102.tif 000009
【図８】
2018124102.tif 000010
【図９】
2018124102.tif 000011
【図１０】
2018124102.tif 000012
【図１１】
2018124102.tif 000013